(57)【要約】【課題】  表示装置に表示される表示画面の色味に印刷画像の色味を合わせることを可能とし利便性の向上が図れる色空間変換装置および画像表示装置を提供すること。【解決手段】色空間変換装置６３は、取得した画像情報を記憶する第２フレームメモリ６２６と、画像情報における色再現可能な色空間を、印刷装置における色再現可能な印刷色空間に応じた色空間に変換するための色空間変換情報を記憶するＥＥＰＲＯＭ６１２と、ＥＥＰＲＯＭ６１２に記憶された色空間変換情報に基づいて、第２フレームメモリ６２６に記憶された画像情報の色空間を変換して印刷画像情報を作成する色空間変換処理を実施する色空間変換部６２７とを備えている。【選択図】 図１
2006157419.tif 000002
【特許請求の範囲】
【請求項１】
取得した画像情報を記憶する画像情報記憶部と、
前記画像情報における色再現可能な色空間を、印刷装置における色再現可能な印刷色空間に応じた色空間に変換するための色空間変換情報を記憶する変換情報記憶部と、
前記変換情報記憶部に記憶された前記色空間変換情報に基づいて、前記画像情報記憶部に記憶された前記画像情報の色空間を変換して印刷画像情報を作成する色空間変換処理を実施する色空間変換部とを備えていることを特徴とする色空間変換装置。
【請求項２】
請求項１に記載の色空間変換装置において、
前記変換情報記憶部は、前記画像情報の規格に応じた複数の色空間変換情報を記憶し、
前記画像情報の規格を判別する情報判別部を備え、
前記色空間変換部は、前記変換情報記憶部に記憶された複数の色空間変換情報のうち前記情報判別部にて判別された規格に応じた色空間変換情報に基づいて前記色空間変換処理を実施することを特徴とする色空間変換装置。
【請求項３】
請求項１または請求項２に記載の色空間変換装置において、
前記画像情報に基づく画像の画質を調整するための画像調整情報を取得する画像調整情報取得部と、
前記画像調整情報取得部にて取得された画像調整情報に基づいて、前記変換情報記憶部に記憶された色空間変換情報を変更する色空間変換情報変更部とを備えていることを特徴とする色空間変換装置。
【請求項４】
請求項１から請求項３のいずれかに記載の色空間変換装置において、
前記色空間変換部にて前記色空間変換処理を実施させるか否かの処理可否情報を取得する処理可否情報取得部と、
前記処理可否情報取得部にて取得された処理可否情報に基づいて、前記色空間変換部に前記色空間変換処理を実施させる処理状態切替部とを備えていることを特徴とする色空間変換装置。
【請求項５】
画像を表示する表示装置と、取得した画像情報に基づいて前記表示装置に画像を表示させる表示制御装置とを備えた画像表示装置であって、
請求項１から請求項４のいずれかに記載の色空間変換装置を備えていることを特徴とする画像表示装置。
【請求項６】
請求項５に記載の画像表示装置において、
前記表示制御装置は、前記色空間変換装置を構成する色空間変換部にて色空間変換処理が実施された後、前記色空間変換部にて作成された印刷画像情報に基づく画像を前記表示装置に表示させることを特徴とする画像表示装置。
【発明の詳細な説明】
【技術分野】
【０００１】
本発明は、色空間変換装置および画像表示装置に関する。
【背景技術】
【０００２】
従来、表示装置の表示画面に表示された画像を印刷する印刷方法が知られている（例えば、特許文献１参照）。
特許文献１に記載の印刷方法では、ビデオキャプチャは、ＹＣ分離部が分離した輝度信号および色信号から、シアン（Ｃ）信号、マゼンダ（Ｍ）信号、イエロー（Ｙ）信号を生成する。ラインバッファは、ＡＤ変換部が上記シアン、マゼンダ、イエロー信号のいずれかの信号を変換したカラーデータを記憶する。そして、ヘッド駆動部およびサーマルヘッドは、ラインバッファから出力されるカラーデータに基づいて印刷を実施する。
【０００３】
【特許文献１】特開平０８−２７５１９７号公報
【発明の開示】
【発明が解決しようとする課題】
【０００４】
ところで、ディスプレイ等の表示装置における色再現可能な色空間は、比較的に大きいものである。このため、入力した画像信号に基づく画像の色再現可能な色空間は、表示装置の色空間内に収まりやすい。このような状態では、入力した画像信号に基づく画像は、色域の損失がない状態で表示装置に表示される。一方、プリンタ等の印刷装置における色再現可能な色空間は、表示装置の色空間よりも小さく、入力した画像信号に基づく画像の色空間と異なる色域を有する場合がある。このような状態では、入力した画像信号に基づく画像を印刷装置にて印刷した場合、色域の損失が生じ、表示装置に表示された表示画面の色味と、印刷画像の色味とが異なる結果となってしまう、という問題がある。
特許文献１に記載の印刷方法では、入力した画像信号を、印刷装置にて印刷可能なシアン（Ｃ）信号、マゼンダ（Ｍ）信号、イエロー（Ｙ）信号に変換しているのみである。このため、特許文献１に記載の印刷方法では、表示装置に表示される表示画面の色味と、印刷画像の色味とが異なる結果となり、利用者が要求する印刷画像を提供することができず、利便性の向上が図れない。
【０００５】
本発明の目的は、表示装置に表示される表示画面の色味に印刷画像の色味を合わせることを可能とし利便性の向上が図れる色空間変換装置および画像表示装置を提供することにある。
【課題を解決するための手段】
【０００６】
本発明の色空間変換装置は、取得した画像情報を記憶する画像情報記憶部と、前記画像情報における色再現可能な色空間を、印刷装置における色再現可能な印刷色空間に応じた色空間に変換するための色空間変換情報を記憶する変換情報記憶部と、前記変換情報記憶部に記憶された前記色空間変換情報に基づいて、前記画像情報記憶部に記憶された前記画像情報の色空間を変換して印刷画像情報を作成する色空間変換処理を実施する色空間変換部とを備えていることを特徴とする。
本発明によれば、色空間変換装置は、画像情報記憶部、変換情報記憶部、および色空間変換部を備えているので、色空間変換部による色空間変換処理により、画像情報の色空間を、印刷装置の印刷色空間に応じた色空間に変換できる。このため、色空間変換処理で作成された印刷画像情報に基づく画像を印刷装置にて印刷した場合でも、色域の損失がない状態となる。したがって、画像情報に基づいて表示装置に表示された表示画面の色味に印刷画像の色味を合わせることが可能となり、利用者が要求する印刷画像を提供することができ、利便性の向上が図れる。
【０００７】
本発明の色空間変換装置では、前記変換情報記憶部は、前記画像情報の規格に応じた複数の色空間変換情報を記憶し、前記画像情報の規格を判別する情報判別部を備え、前記色空間変換部は、前記変換情報記憶部に記憶された複数の色空間変換情報のうち前記情報判別部にて判別された規格に応じた色空間変換情報に基づいて前記色空間変換処理を実施することが好ましい。
本発明によれば、変換情報記憶部には画像情報の規格に応じた複数の色空間変換情報が記憶され、情報判別部が画像情報の規格を判別するので、色空間変換部による色空間変換処理により、画像情報の色空間を該画像情報の規格に応じて変換でき、適切な印刷画像情報を作成できる。このため、規格の異なる種々の画像情報を取得した場合でも、印刷装置にて規格の異なる種々の画像情報に基づく各画像を色域の損失がない状態で印刷でき、表示装置に表示された各表示画面の色味に各印刷画像の色味をそれぞれ合わせることが可能となる。したがって、規格の異なる種々の画像情報に応じて利用者が要求する各印刷画像を提供することができ、利便性の向上がさらに図れる。
【０００８】
本発明の色空間変換装置では、前記画像情報に基づく画像の画質を調整するための画像調整情報を取得する画像調整情報取得部と、前記画像調整情報取得部にて取得された画像調整情報に基づいて、前記変換情報記憶部に記憶された色空間変換情報を変更する色空間変換情報変更部とを備えていることが好ましい。
ここで、画像調整情報としては、画質を調整するための情報であり、例えば、画像の明るさ、色調、コントラスト、シャープネス等の各調整量に関する情報が例示できる。
本発明では、例えば、利用者が表示装置に表示された表示画面を観察しながら入力装置にて表示画面の画質を調整する設定入力を実施すると、画像調整情報取得部が画像調整情報を取得する。そして、色空間変換情報変更部は、画像調整情報に基づいて変換情報記憶部に記憶された色空間変換情報を変更する。色空間変換部は、変更された色空間変換情報に基づいて色空間変換処理を実施する。このことにより、利用者の入力操作により表示装置に表示された表示画面の画質が調整されて表示画面の色味が変更された場合であっても、変更された表示画面の色味に印刷画像の色味を合わせることが可能となる。したがって、利用者が要求する印刷画像をより確実に提供することができ、利便性の向上がさらに一層図れる。
【０００９】
本発明の色空間変換装置では、前記色空間変換部にて前記色空間変換処理を実施させるか否かの処理可否情報を取得する処理可否情報取得部と、前記処理可否情報取得部にて取得された処理可否情報に基づいて、前記色空間変換部に前記色空間変換処理を実施させる処理状態切替部とを備えていることが好ましい。
本発明では、例えば、利用者が表示装置に表示された表示画面を観察しながら入力装置にて表示画面の色味に印刷画像の色味を合わせるか否かの設定入力を実施すると、処理可否情報取得部が処理可否情報を取得する。そして、処理状態切替部は、処理可否情報に基づいて、色空間変換部に色空間変換処理を実施させる状態、あるいは、色空間変換部に色空間変換処理を実施させない状態の処理状態を切り替える。このことにより、例えば、表示画面が文字や記号等のみで構成されている場合等、すなわち、表示画面の色味に印刷画像の色味を合わせる必要がない場合に利用者の入力操作により色空間変換部に色空間変換処理を実施させない状態に設定でき、また、表示画面の色味に印刷画像の色味を合わせる必要がある場合に利用者の入力操作により色空間変換部に色空間変換処理を実施させる状態に設定でき、印刷処理の効率化および迅速化が図れる。したがって、利用者にとって非常に使い勝手の良いものとなる。
【００１０】
本発明の画像表示装置は、画像を表示する表示装置と、取得した画像情報に基づいて前記表示装置に画像を表示させる表示制御装置とを備えた画像表示装置であって、上述した色空間変換装置を備えていることを特徴とする。
本発明によれば、画像表示装置は、表示装置、表示制御装置、および上述した色空間変換装置を備えているので、上述した色空間変換装置と同様の作用・効果を享受できる。
【００１１】
本発明の画像表示装置では、前記表示制御装置は、前記色空間変換装置を構成する色空間変換部にて色空間変換処理が実施された後、前記色空間変換部にて作成された印刷画像情報に基づく画像を前記表示装置に表示させることが好ましい。
本発明によれば、表示制御装置が印刷画像情報に基づく画像を表示装置に表示させるので、印刷装置にて印刷した際の印刷画像を利用者に確認させることができる。例えば、色空間変換装置に上述した画像調整情報取得部および色空間変換情報変更部を備えた構成とすれば、利用者が表示装置に表示された印刷画像を確認しながら入力装置にて表示画面の画質を調整する設定入力を実施すると、印刷画像の画質を調整することができ、利用者が要求する最適な印刷画像を提供することが可能となり、利便性の向上がさらに図れる。
【発明を実施するための最良の形態】
【００１２】
以下、本発明の実施の一形態を図面に基づいて説明する。
〔１．テレビ受像機の構成〕
図１は、本実施形態における画像表示装置としてのテレビ受像機の概略構成を示すブロック図である。
テレビ受像機１は、リアプロジェクタタイプであり、スクリーンＳｃ（図１）に画像光を投射して画像を表示する。このテレビ受像機１は、図１に示すように、操作部２と、外部記録媒体読取部３と、表示装置としての画像形成部４と、チューナユニット５と、制御装置６と、印刷部７とで大略構成されている。
【００１３】
操作部２は、図示しないリモートコントローラや、テレビ受像機１に備えられたボタンやキーにより構成され、利用者による操作を認識して所定の操作信号を制御装置６に出力する。
外部記録媒体読取部３は、メモリカード、ＤＶＤ（Digital Versatile Disc）等の外部記録媒体と接続するためのカードコントローラ、ＤＶＤドライブ等で構成され、前記外部記録媒体に記録された情報を読み取り、読み取った情報に基づく信号を制御装置６に出力する。
【００１４】
画像形成部４は、制御装置６による制御の下、画像光を生成して投影表示する。この画像形成部４は、図１に示すように、光源装置４１と、液晶ライトバルブ４２と、投射光学系４３と、スクリーンＳｃとを備える。
光源装置４１は、制御装置６による制御の下、光束を液晶ライトバルブ４２に向けて射出する。この光源装置４１は、光源ランプ４１１と、ランプ駆動部４１２とを備える。
光源ランプ４１１は、超高圧水銀ランプにて構成されている。なお、超高圧水銀ランプに限らず、メタルハライドランプ、キセノンランプ等の他の放電発光型の光源ランプを採用してもよい。さらに、放電発光型の光源ランプに限らず、発光ダイオードや有機ＥＬ素子、シリコン素子等の各種自己発光素子を採用してもよい。
ランプ駆動部４１２は、制御装置６による制御の下、所定の駆動周波数にしたがって駆動信号を生成し、光源ランプ４１１を駆動する。
【００１５】
液晶ライトバルブ４２は、透過型の液晶パネルであり、制御装置６による制御の下、入力する画像情報（後述する画像データ）に基づいて、液晶セル（図示略）に封入された液晶分子の配列を変化させ、光源装置４１から射出された光束を、透過若しくは遮断することにより画像情報の表す画像の画像光を投射光学系４３に射出する。
投射光学系４３は、液晶ライトバルブ４２から射出された画像光をスクリーンＳｃに向けて拡大投射する。
スクリーンＳｃは、一般的な矩形状の透過型スクリーンであり、図示しない外装筺体の正面側に露出するように設けられ、投射光学系４３にて拡大投射された画像光を裏面から正面に投影する。
【００１６】
なお、図示は省略したが、テレビ受像機１は、ＲＧＢの３色に対応する３枚の液晶ライトバルブ４２を備えている。また、光源装置４１は、光源光を３色の光に分離する色光分離光学系を備えている。さらに、投射光学系４３は、３色の画像光を合成してカラー画像を表す画像光を生成する合成光学系と投射レンズとを有している。なお、このような光学系の構成については、種々の一般的なプロジェクタの光学系の構成が利用可能である。
【００１７】
チューナユニット５は、テレビ放送電波を受信するアンテナＡＮＴが接続されている。このチューナユニット５は、制御装置６による制御の下、アンテナＡＮＴにより受信されて出力される例えば複数のチャンネルに対応する各種データから所定のチャンネルに対応する各種データ、すなわち、音声データ、画像データ、ＥＰＧ（Electric Program Guide）データを入力して制御装置６に出力する。
ここで、ＥＰＧデータは、チャンネル情報、タイトル情報、番組詳細情報、および放送日時情報等が１つのデータとして構成されたものである。チャンネル情報は、チャンネル番号や放送局名等に関する情報である。タイトル情報は、番組名等に関する情報である。番組詳細情報は、例えば番組の内容や出演者等に関する情報である。放送日時情報は、番組の放送開始日時および放送終了日時に関する情報である。
【００１８】
制御装置６は、外部記録媒体読取部３、画像形成部４、チューナユニット５、および印刷部７等を制御する。そして、制御装置６は、アンテナＡＮＴを介してチューナユニット５にて受信した所定のチャンネルに対応する画像、あるいは、外部記録媒体読取部３から出力される信号に基づく画像を画像形成部４に投影表示させる。また、制御装置６は、前記所定のチャンネルに対応する音声、あるいは、外部記録媒体読取部３から出力される信号に基づく音声を図示しないスピーカに出力させる。この制御装置６は、コントローラ６１と、画像処理部６２とを備える。
【００１９】
コントローラ６１は、ＣＰＵ（Central Processing Unit）４５１Ａと、変換情報記憶部としてのＥＥＰＲＯＭ(Electrically Erasable Programmable Read Only Memory)４５１Ｂと、ＲＡＭ(Random Access Memory)４５１Ｃ等から構成されている。
ＥＥＰＲＯＭ６１２は、各種制御プログラムや各種データを記憶する。
ここで、各種データとしては、画像処理部６２における後述するスケーラユニットに各種処理を実施させるための画像処理パラメータに関する画像処理データ、利用者に表示画像の調整を実施させるための調整用メニュー画面に関する情報、画像処理部６２における後述する色空間変換部に色空間変換処理を実施させるか否かに関する処理可否情報、画像処理部６２における後述する自動補正部に自動補正を実施させるか否かに関する自動補正情報、画像処理部６２における後述する色空間変換部にて作成された印刷画像データに基づく画像を表示するか否かに関する表示可否情報、画像処理部６２における後述する色空間変換部に色空間変換処理を実施させるための色空間変換パラメータに関する色空間変換情報等である。
【００２０】
画像処理データは、スクリーンＳｃに表示される画像の明るさ、色調、コントラスト、シャープネス等を調整するための各種パラメータで構成されている。また、これら各種パラメータは、利用者による所定の入力操作により操作部２から出力される各調整量に応じた画像調整情報としての操作信号をＣＰＵ６１１が入力すると、該ＣＰＵ６１１により適宜、書き換えられる。
処理可否情報は、スクリーンＳｃに表示される画像の色味に印刷画像の色味を合わせるか否かの情報であり、利用者による所定の入力操作により操作部２から出力される操作信号をＣＰＵ６１１が入力すると、該ＣＰＵ６１１により、スクリーンＳｃに表示される画像の色味に印刷画像の色味を合わせる状態、あるいは、スクリーンＳｃに表示される画像の色味に印刷画像の色味を合わせない状態のいずれかに適宜、設定されてＥＥＰＲＯＭ６１２に記憶される。また、自動補正情報も同様に、利用者による所定の入力操作により操作部２から出力される操作信号をＣＰＵ６１１が入力すると、該ＣＰＵ６１１により、自動補正を実施する状態、あるいは、自動補正を実施しない状態のいずれかに適宜、設定されてＥＥＰＲＯＭ６１２に記憶される。さらに、表示可否情報も同様に、利用者による所定の入力操作により操作部２から出力される操作信号をＣＰＵ６１１が入力すると、該ＣＰＵ６１１により、印刷画像データに基づく画像を表示する状態、あるいは、印刷画像データに基づく画像を表示しない状態のいずれかに適宜、設定されてＥＥＰＲＯＭ６１２に記憶される。
【００２１】
色空間変換情報は、画像情報である後述する画像データの色空間を印刷部７における色再現可能な印刷色空間に応じた色空間に変換するための情報である。そして、この色空間変換情報は、画像（映像）データの各規格（sRGB,SMPTE-170,ITU-709等）に応じた複数の色空間変換情報、および自動補正用の色空間変換情報で構成されている。なお、これら色空間変換情報は、利用者による所定の入力操作により操作部２から出力される画像の明るさ、色調、コントラスト、シャープネス等の各調整量に応じた操作信号、あるいは、画像処理部６２における後述する自動補正部から出力される補正パラメータをＣＰＵ６１１が入力すると、該ＣＰＵ６１１により適宜、書き換えられる。
ＲＡＭ６１３は、ＣＰＵ６１１の動作上必要なデータやプログラムを一時記憶する。
ＣＰＵ６１１は、ＥＥＰＲＯＭ６１２に記憶された各種制御プログラム、操作部２からの操作信号に応じて各種の処理を実行し、これにより、外部記録媒体読取部３、画像形成部４、チューナユニット５、印刷部７、および画像処理部６２等を制御する。そして、本発明に係る画像調整情報取得部、色空間変換情報変更部、処理可否情報取得部、処理状態切替部、および表示制御装置は、ＣＰＵ６１１に相当する。
【００２２】
画像処理部６２は、コントローラ６１の制御の下、チューナユニット５から出力される信号（映像データ）や、外部記録媒体読取部３から出力される信号（画像データ）を処理して液晶ライトバルブ４２に所定の画像を形成させる。この画像処理部６２は、信号変換部６２１と、情報判別部６２２と、第１フレームメモリ６２３と、スケーラユニット６２４と、表示用フレームメモリ６２５と、画像情報記憶部としての第２フレームメモリ６２６と、色空間変換部６２７と、自動補正部６２８等から構成されている。
信号変換部６２１は、チューナユニット５から出力される信号（映像データ）、あるいは、外部記録媒体読取部３から出力される信号（画像データ）をスケーラユニット６２４にて処理可能な形式の信号に変換して第１フレームメモリ６２３に出力する。
そして、第１フレームメモリ６２３は、信号変換部６２１から出力される信号を入力し、１フレーム分の信号（画像データ）を、順次上書きして記憶する。
【００２３】
情報判別部６２２は、チューナユニット５から出力される信号、あるいは、外部記録媒体読取部３から出力される信号の規格を判別し、判別した結果に応じた所定の信号をコントローラ６１に出力する。
例えば、情報判別部６２２としては、映像信号の各規格（sRGB,SMPTE-170,ITU-709等）の同期信号（水平同期信号、垂直同期信号）および動作クロック信号における周波数や画素（ライン）数がそれぞれ異なることを利用して、信号の各規格を判別する構成を採用できる。すなわち、情報判別部６２２は、チューナユニット５から出力される映像信号、あるいは、外部記録媒体読取部３から出力される画像信号に含まれる同期信号（水平同期信号、垂直同期信号）や動作クロック信号を入力し、該同期信号の水平および垂直周波数、クロック周波数、画素数等を検出する。そして、情報判別部６２２は、検出した同期信号の水平および垂直周波数、クロック周波数、画素数等により、信号の規格（sRGB,SMPTE-170,ITU-709等）を判別する。なお、情報判別部６２２による信号の規格の判別は、上述した方法に限らず、その他の方法を採用してもよい。
【００２４】
スケーラユニット６２４は、第１フレームメモリ６２３に記憶された画像データを順次読み出して、この画像データの表す画像の解像度を、液晶ライトバルブ４２の解像度に合わせるために、補間処理を行って解像度を変換する。また、スケーラユニット６２４は、この解像度変換後の画像データに対し、コントローラ６１のＥＥＰＲＯＭ６１２に記憶された画像処理データに基づいて、明るさ、色調、コントラスト、シャープネス等のレベルを調整する。さらに、スケーラユニット６２４は、レベル調整後の画像データを表示用フレームメモリ６２５に順次上書きして記憶させる。そして、スケーラユニット６２４は、表示用フレームメモリ６２５に記憶させた画像データを順次読み出して、液晶ライトバルブ４２に出力する。
【００２５】
第２フレームメモリ６２６は、操作部２から出力され、スクリーンＳｃに表示される画像を印刷する旨の操作信号がコントローラ６１にて認識された際に、コントローラ６１の制御により、表示用フレームメモリ６２５に記憶された画像情報としての画像データを記憶する。
色空間変換部６２７は、コントローラ６１による制御の下、コントローラ６１のＥＥＰＲＯＭ６１２に記憶された複数の色空間変換情報のうち所定の色空間変換情報に基づいて、第２フレームメモリ６２６に記憶された画像データの色空間を、印刷部７における色再現可能な印刷色空間に応じた色空間に変換して印刷画像情報としての印刷画像データを作成する色空間変換処理を実施する。
【００２６】
自動補正部６２８は、コントローラ６１による制御の下、第２フレームメモリ６２６に記憶された画像データを読み出し、該画像データに基づく画像のレベルを計測する。また、自動補正部６２８は、計測した結果に応じて、ＥＥＰＲＯＭ６１２に記憶された自動補正用の色空間変換情報を変更するための補正パラメータを算出する。そして、自動補正部６２８は、算出した補正パラメータをコントローラ６１に出力する。
【００２７】
印刷部７は、コントローラ６１による制御の下、第２フレームメモリ６２６に記憶された印刷画像データを読み出して、該印刷画像データに基づく画像を印刷する。この印刷部７は、公知の構成を採用でき、図１に示すように、印刷画像データをＣＭＹＫ（シアン、マゼンダ、イエロー、ブラック）から成る印刷画像データにデータ変換するプリンタコントローラ７１と、データ変換された印刷画像データを記憶する印刷用フレームメモリ７２と、印刷用フレームメモリ７２に記憶された印刷画像データに基づく画像を印刷するプリンタエンジン７３とを備える。
以上説明した情報判別部６２２、第２フレームメモリ６２６、色空間変換部６２７、ＣＰＵ６１１、およびＥＥＰＲＯＭ６１２で、本発明に係る色空間変換装置６３が構成される。
【００２８】
〔２．印刷処理動作〕
次に、上述したテレビ受像機１における画像の印刷処理動作を説明する。
図２は、テレビ受像機１の印刷処理動作を説明するためのフローチャートである。
先ず、利用者による操作部２の操作により、操作部２から「スクリーンＳｃに表示されている画像を印刷する」旨の操作信号が制御装置６に出力されると、コントローラ６１は、該操作信号を認識する。そして、コントローラ６１は、ＥＥＰＲＯＭ６１２に記憶された所定の制御プログラムにしたがって、表示用フレームメモリ６２５に記憶された画像データを第２フレームメモリ６２６に記憶させ、以下に示す印刷処理制御を実施する。
【００２９】
先ず、コントローラ６１は、ＥＥＰＲＯＭ６１２に記憶された処理可否情報に基づいて、スクリーンＳｃに表示された画像の色味に印刷画像の色味を合わせるように設定されているか否かを判定する（処理Ｓ１）。
ここで、コントローラ６１は、「Ｙ」と判定した場合、すなわち、スクリーンＳｃに表示された画像の色味に印刷画像の色味を合わせるように設定されていると判定した場合には、情報判別部６２２から出力された信号に基づいて、第２フレームメモリ６２６に記憶された画像データの規格を認識する（処理Ｓ２）。
すなわち、コントローラ６１は、情報判別部６２２から出力された信号に基づいて、第２フレームメモリ６２６に記憶された画像データが、外部記録媒体読取部３を介して入力し例えばデジタルカメラ等にて撮影された「sRGB」規格の画像データ、チューナユニット５を介して入力したNTSC(National Television System Committee)信号である「SMPTE-170」規格の画像データ、あるいは、チューナユニット５を介して入力したハイビジョン・デジタルＴＶ信号である「ITU-709」規格の画像データであると認識する。
【００３０】
処理Ｓ２の後、コントローラ６１は、利用者により操作部２が操作されて、スクリーンＳｃに表示された画像の明るさ、色調、コントラスト、シャープネス等の画質の各調整量に応じた操作信号を入力したか否かを判定する（処理Ｓ３）。
ここで、コントローラ６１は、「Ｙ」と判定した場合、すなわち、利用者により画像の画質調整が実施されていると判定した場合には、ＥＥＰＲＯＭ６１２に記憶された複数の色空間変換情報のうち処理Ｓ２において判別した画像データの規格に応じた色空間変換情報を、変更された明るさ、色調、コントラスト、シャープネス等の各調整量に応じて変更する（処理Ｓ４）。
一方、処理Ｓ３において、コントローラ６１は、「Ｎ」と判定した場合、すなわち、利用者により画像の画質調整が実施されていないと判定した場合には、後述する処理Ｓ８に移行する。
【００３１】
処理Ｓ１において、コントローラ６１は、「Ｎ」と判定した場合、すなわち、スクリーンＳｃに表示された画像の色味に印刷画像の色味を合わせるように設定されていないと判定した場合には、ＥＥＰＲＯＭ６１２に記憶された自動補正情報に基づいて、画像データの自動補正を実施するように設定されているか否かを判定する（処理Ｓ５）。
ここで、コントローラ６１は、「Ｎ」と判定した場合、すなわち、画像データの自動補正を実施するように設定されていないと判定した場合には、後述する処理Ｓ１４に移行する。
一方、コントローラ６１は、「Ｙ」と判定した場合、すなわち、画像データの自動補正を実施するように設定されていると判定した場合には、自動補正部６２８に所定の制御信号を出力する。
自動補正部６２８は、第２フレームメモリ６２６に記憶された画像データを読み出し、画像データに基づく画像のレベルを計測する（処理Ｓ６）。自動補正部６２８が計測する画像のレベルとしては、画像の各画素に対応する輝度値のヒストグラムやオートピクチャレベル等が例示できる。
処理Ｓ６の後、自動補正部６２８は、計測した画像のレベルに基づいて、ＥＥＰＲＯＭ６１２に記憶された自動補正用の色空間変換情報を変更するための補正パラメータを算出し（処理Ｓ７）、該補正パラメータをコントローラ６１に出力する。そして、コントローラ６１は、処理Ｓ４において、ＥＥＰＲＯＭ６１２に記憶された自動補正用の色空間変換情報を、補正パラメータに応じて変更する。
【００３２】
処理Ｓ４の後、コントローラ６１は、ＥＥＰＲＯＭ６１２から処理Ｓ２において判別した画像データの規格に応じた色空間変換情報、あるいは、自動補正用の色空間変換情報を読み出し、該色空間変換情報を色空間変換部６２７に出力する。そして、コントローラ６１は、色空間変換部６２７に所定の制御信号を出力し、色空間変換情報に基づいて、色空間変換処理を実施させる（処理Ｓ８）。
【００３３】
図３ないし図５は、色空間変換部６２７による色空間変換処理の一例を示す図である。具体的に、図３は、液晶ライトバルブ４２、印刷部７、およびSMPTE-170規格の画像データの色再現可能な各色空間の一例を示すXY色度図である。図４は、液晶ライトバルブ４２、印刷部７、およびsRGB規格の画像データの色再現可能な各色空間の一例を示すXY色度図である。図５は、液晶ライトバルブ４２、印刷部７、およびITU-709規格の画像データの色再現可能な各色空間の一例を示すXY色度図である。
例えば、図３では、色空間変換部６２７は、SMPTE-170規格に対応する色空間変換情報に基づいて、SMPTE-170規格の画像データの色空間ＣＳ３Ａを、印刷部７の印刷色空間ＣＳ１に変換して印刷画像データを作成する。具体的に、色空間変換情報は、色度座標を変換する所定の変換行列で構成されている。そして、色空間変換部６２７は、前記変換行列を用いて、画像データの各画素に対応する色度座標を順次変換し、画像データの色空間ＣＳ３Ａを印刷部７の印刷色空間ＣＳ１に変換する。
【００３４】
また、例えば、図４および図５に示す例でも図３と同様に、色空間変換部６２７は、sRGB規格またはITU-709規格に対応する色空間変換情報に基づいて、sRGB規格の画像データの色空間ＣＳ３ＢまたはITU-709規格の画像データの色空間ＣＳ３Ｃを、印刷部７の印刷色空間ＣＳ１に変換して印刷画像データを作成する。
【００３５】
処理Ｓ８の後、コントローラ６１は、ＥＥＰＲＯＭ６１２に記憶された表示可否情報に基づいて、印刷画像データに基づく画像を表示するように設定されているか否かを判定する（処理Ｓ９）。
ここで、コントローラ６１は、「Ｎ」と判定した場合、すなわち、印刷画像データに基づく画像を表示するように設定されていないと判定した場合には、後述する処理Ｓ１４に移行する。
一方、コントローラ６１は、「Ｙ」と判定した場合、すなわち、印刷画像データに基づく画像を表示するように設定されていると判定した場合には、第２フレームメモリ６２６に記憶された印刷画像データを表示用フレームメモリ６２５に描画処理させる。そして、コントローラ６１は、スケーラユニット６２４を制御して、印刷画像データに基づく画像を、液晶ライトバルブ４２に形成させる。そしてまた、スクリーンＳｃに前記画像を投影表示させる（処理Ｓ１０）。
【００３６】
そして、スクリーンＳｃに投影表示された画像で印刷するか否かの選択を利用者に促す（処理Ｓ１１）。
ここで、利用者は、スクリーンＳｃに投影表示された画像で印刷する場合には、操作部２により印刷を実施する旨の操作を実施する。そして、利用者による操作部２の操作により、操作部２から「印刷を実施する」旨の操作信号がコントローラ６１に出力され、後述する処理Ｓ１４に移行する。
一方、処理Ｓ１１において、利用者は、スクリーンＳｃに投影表示された画像で印刷しない場合には、操作部２により画像の画質を調整する旨の操作を実施する。そして、利用者による操作部２の操作により、操作部２から「画像を調整する」旨の操作信号がコントローラ６１に出力される。
ここで、コントローラ６１は、ＥＥＰＲＯＭ６１２に記憶された調整メニュー画面に関する情報を読み出し、調整メニュー画面を表示用フレームメモリ６２５に描画処理する。そして、コントローラ６１は、スケーラユニット６２４を制御して、印刷画像データに基づく画像とともに、調整メニュー画面を、液晶ライトバルブ４２に形成させる。そしてまた、スクリーンＳｃに調整用メニュー画面を投影表示させる（処理Ｓ１２）。
【００３７】
図６は、スクリーンＳｃに投影表示される調整メニュー画面の一例を示す図である。
図６に示すように、処理Ｓ１２におけるコントローラ６１の制御により、スクリーンＳｃには、印刷画像データに基づく画像Ｆ０の側方に、調整メニュー画面Ｆ１が投影表示される。調整メニュー画面Ｆ１は、図６に示すように、各調整項目Ｆ２（明るさ、コントラスト等）が列挙され、バースケールＦ３上にポインタＦ４が重畳して現状の調整位置を認識可能に構成されている。そして、スクリーンＳｃに投影表示された調整メニュー画面Ｆ１で印刷画像データに基づく画像Ｆ０の画質の調整を利用者に促す。
ここで、利用者は、スクリーンＳｃに投影表示された印刷画像データに基づく画像Ｆ０を見ながら、操作部２を操作してポインタＦ４を移動させることで、印刷画像データの明るさ、コントラスト等を調整する（処理Ｓ１３）。この際、コントローラ６１は、利用者による上述した操作により操作部２から出力される各調整量に応じた操作信号を認識し、ＥＥＰＲＯＭ６１２に記憶された画像処理データの各種パラメータを適宜、書き換える。また、コントローラ６１は、ＥＥＰＲＯＭ６１２に記憶された複数の色空間変換情報のうち処理Ｓ２において判別した画像データの規格に応じた色空間変換情報、あるいは、自動補正用の色空間変換情報を、明るさ、コントラスト等の各調整量に応じて変更する。さらに、コントローラ６１は、処理Ｓ８と同様に、色空間変換部６２７に色空間変換処理を実施させる。さらにまた、コントローラ６１は、処理Ｓ１０と同様に、印刷画像データを表示用フレームメモリ６２５に描画処理させる。このような処理により、処理Ｓ１３において、利用者が操作部２を操作して画像の画質調整を実施することで、スクリーンＳｃに投影表示された印刷画像データに基づく画像Ｆ０の画質が適宜、変更される。
【００３８】
そして、処理Ｓ１１において、利用者が操作部２により印刷を実施する旨の操作を実施するまで、処理Ｓ１２，Ｓ１３が繰り返し実施される。
処理Ｓ１１において、利用者が操作部２により印刷を実施する旨の操作を実施し、操作部２から「印刷を実施する」旨の操作信号をコントローラ６１が入力すると、コントローラ６１は、印刷部７のプリンタコントローラ７１に所定の制御信号を出力し、印刷画像データに基づく画像を印刷部７に印刷させる（処理Ｓ１４）。
具体的に、プリンタコントローラ７１は、第２フレームメモリ６２６に記憶された印刷画像データを読み出し、プリンタエンジン７３で処理可能なＣＭＹＫ（シアン、マゼンダ、イエロー、ブラック）から成る印刷画像データにデータ変換し、印刷用フレームメモリ７２に記憶させる。また、プリンタコントローラ７１は、印刷用フレームメモリ７２に記憶させた印刷画像データを読み出して、プリンタエンジン７３に送信し、プリンタエンジン７３は、この印刷画像データに基づく画像を印刷する。
【００３９】
以上説明したように、本実施形態では、色空間変換装置６３がＥＥＰＲＯＭ６１２、第２フレームメモリ６２６、および色空間変換部６２７を備えているので、色空間変換部６２７による色空間変換処理により、第２フレームメモリ６２６に記憶された画像データの色空間ＣＳ３Ａ，ＣＳ３Ｂ，ＣＳ３Ｃを、印刷部７の印刷色空間ＣＳ１に変換できる。このため、色空間変換部６２７にて作成された印刷画像データに基づく画像を印刷部７にて印刷した場合でも、色域の損失がない状態となる。したがって、スクリーンＳｃに表示された表示画面の色味に印刷画像の色味を合わせることが可能となり、利用者が要求する印刷画像を提供することができ、利便性の向上が図れる。
【００４０】
また、ＥＥＰＲＯＭ６１２には画像データの各規格、すなわち、sRGB規格、SMPTE-170規格、ITU-709規格等に応じた複数の色空間変換情報が記憶され、情報判別部６２２が入力した信号の規格を判別するので、色空間変換部６２７による色空間変換処理により、画像データの色空間を該画像データの各規格に応じて変換でき、適切な印刷画像データを作成できる。
【００４１】
例えば、上述した図３に示す例では、SMPTE-170規格の画像データの色空間ＣＳ３Ａにおける青および緑側の色域の一部が液晶ライトバルブ４２の色空間ＣＳ２を越えているので、液晶ライトバルブ４２は、色空間ＣＳ２と色空間ＣＳ３Ａとが重なる色空間ＣＳ４で、SMPTE-170規格の画像データに基づく画像を形成する。ここで、色空間変換部６２７が色空間変換処理を実施しない場合では、色空間ＣＳ４と印刷部７の印刷色空間ＣＳ１とが異なる色域を有しているため、印刷部７は、色空間ＣＳ４と印刷色空間ＣＳ１とが重なる色空間ＣＳ５で、SMPTE-170規格の画像データに基づく画像を印刷する。このような場合では、印刷画像は、液晶ライトバルブ４２に形成された画像に対して、青および緑の一部、ならびに、赤の一部の色域ＣＳ０が損失した状態となる。
【００４２】
また、例えば、上述した図４に示す例では、sRGB規格の画像データの色空間ＣＳ３Ｂが液晶ライトバルブ４２の色空間ＣＳ２内に収まっているので、液晶ライトバルブ４２は、色空間ＣＳ３Ｂで、sRGB規格の画像データに基づく画像を形成する。ここで、色空間変換部６２７が色空間変換処理を実施しない場合では、色空間ＣＳ３Ｂと印刷部７の印刷色空間ＣＳ１とが異なる色域を有しているため、印刷部７は、色空間ＣＳ３Ｂと印刷色空間ＣＳ１とが重なる色空間ＣＳ６で、sRGB規格の画像データに基づく画像を印刷する。このような場合では、印刷画像は、液晶ライトバルブ４２に形成された画像に対して、青の一部の色域ＣＳ０が損失した状態となる。
【００４３】
さらに、例えば、上述した図５に示す例では、ITU-709規格の画像データの色空間ＣＳ３Ｃが液晶ライトバルブ４２の色空間ＣＳ２内に収まっているので、液晶ライトバルブ４２は、色空間ＣＳ３Ｃで、ITU-709規格の画像データに基づく画像を形成する。ここで、色空間変換部６２７が色空間変換処理を実施しない場合では、色空間ＣＳ３Ｃと印刷部７の印刷色空間ＣＳ１とが異なる色域を有しているため、印刷部７は、色空間ＣＳ３Ｃと印刷色空間ＣＳ１とが重なる色空間ＣＳ７で、ITU-709規格の画像データに基づく画像を印刷する。このような場合では、印刷画像は、液晶ライトバルブ４２に形成された画像に対して、青および緑の一部の色域ＣＳ０が損失した状態となる。
【００４４】
そして、本実施形態では、色空間変換部６２７は、SMPTE-170規格、sRGB規格、あるいはITU-709規格に応じた色空間変換情報に基づいて、SMPTE-170規格、sRGB規格、あるいはITU-709規格の画像データの色空間ＣＳ３Ａ，ＣＳ３Ｂ，ＣＳ３Ｃを、印刷部７における印刷色空間ＣＳ１に変換して印刷画像データを作成するので、印刷部７にて色域ＣＳ０の損失がない状態で印刷できる。
したがって、印刷部７にて規格の異なる種々の画像データに基づく各画像を色域ＣＳ０の損失がない状態で印刷でき、スクリーンＳｃに表示された規格の異なる各表示画面の色味に各印刷画像の色味をそれぞれ合わせることが可能となる。したがって、規格の異なる種々の画像データに応じて利用者が要求する各印刷画像を提供することができ、利便性の向上がさらに図れる。
【００４５】
さらに、コントローラ６１は、利用者がスクリーンＳｃに表示された表示画面を観察しながら操作部２にて表示画面の画質を調整する設定入力を実施すると、操作部２から出力される画像の画質の各調整量に応じた操作信号を認識する。そして、コントローラ６１は、各調整量に応じて、ＥＥＰＲＯＭ６１２に記憶された画像データの規格に応じた複数の色空間変換情報、あるいは、自動補正用の色空間変換情報を変更する。このことにより、利用者の入力操作によりスクリーンＳｃに表示される表示画面の画質が調整されて表示画面の色味が変更された場合であっても、変更された表示画面の色味に印刷画像の色味を合わせることが可能となる。したがって、利用者が要求する印刷画像をより確実に提供することができ、利便性の向上がさらに一層図れる。
【００４６】
さらにまた、コントローラ６１は、利用者がスクリーンＳｃに表示された表示画面を観察しながら操作部２にて表示画面の色味に印刷画像の色味を合わせるか否かの設定入力を実施すると、操作部２から出力される操作信号を認識し、表示画面の色味に印刷画像の色味を合わせるか否かの処理可否情報を設定してＥＥＰＲＯＭ６１２に記憶させる。そして、コントローラ６１は、ＥＥＰＲＯＭ６１２に記憶された処理可否情報に基づいて、色空間変換部６２７に色空間変換処理を実施させる状態、あるいは、色空間変換部６２７に色空間変換処理を実施させない状態の処理状態を切り替える。このことにより、例えば、スクリーンＳｃに表示される表示画面が文字や記号等のみで構成されている場合等、すなわち、表示画面の色味に印刷画像の色味を合わせる必要がない場合に利用者の入力操作により色空間変換部６２７に色空間変換処理を実施させない状態に設定でき、また、表示画面の色味に印刷画像の色味を合わせる必要がある場合に利用者の入力操作により色空間変換部６２７に色空間変換処理を実施させる状態に設定でき、印刷処理の効率化および迅速化が図れる。したがって、利用者にとって非常に使い勝手の良いものとなる。
【００４７】
そして、色空間変換装置６３は、種々の規格の信号を入力して画像を表示するテレビ受像機１に搭載されているので、種々の規格の画像データに基づく画像を、色域の損失がない状態で印刷することができ、利便性の向上が図れる。
また、コントローラ６１が印刷画像データに基づく画像をスクリーンＳｃに表示させる処理を実施するので、印刷部７にて印刷した際の印刷画像を利用者に確認させることができる。また、利用者がスクリーンＳｃに表示された印刷画像を確認した結果、印刷しない場合には、コントローラ６１が調整メニュー画面をスクリーンＳｃに表示させて利用者に印刷画像の画質の調整を促し、利用者の調整操作に応じて色空間変換部６２７に印刷画像を変更させるので、利用者が要求する最適な印刷画像を提供することが可能となり、利便性の向上がさらに図れる。
【００４８】
なお、本発明は前述の実施形態に限定されるものではなく、本発明の目的を達成できる範囲での変形、改良等は本発明に含まれるものである。
前記実施形態では、テレビ受像機１に印刷部７が内蔵された構成を説明したが、これに限らず、外部の印刷部と接続可能とし、色空間変換装置６３にて作成された印刷画像データを外部の印刷装置に出力する構成を採用してもよい。
前記実施形態では、色空間変換装置６３をテレビ受像機１に搭載した構成を説明したがこれに限らず、その他の画像表示装置、例えば、反射型スクリーンを観察する方向から画像を投影するフロント投射型プロジェクタや、ディスプレイ等の表示装置と接続し該表示装置に画像を表示させるパーソナルコンピュータ等に搭載する構成を採用してもよい。
前記実施形態では、透過型の液晶パネル（液晶ライトバルブ４２）を採用したが、これに限らず、反射型の液晶パネルを採用してもよく、あるいは、ディジタル・マイクロミラー・デバイス（テキサス・インスツルメント社の商標）を採用してもよい。
前記実施形態では、色空間変換部６２７は、各規格の画像データの色空間ＣＳ３Ａ，ＣＳ３Ｂ，ＣＳ３Ｃを、印刷部７の印刷色空間ＣＳ１に変換する構成を採用したが、これに限らず、色域の損失がない状態となるように、各色空間ＣＳ３Ａ，ＣＳ３Ｂ，ＣＳ３Ｃを印刷色空間ＣＳ１に応じた色空間に変換すればよい。
【００４９】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想及び目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【００５０】
本発明の色空間変換装置は、表示装置に表示される表示画面の色味に印刷画像の色味を合わせることを可能とし利便性の向上が図れるため、取得した画像情報に基づいて画像を表示する画像表示装置に利用することができる。
【図面の簡単な説明】
【００５１】
【図１】本実施形態における画像表示装置としてのテレビ受像機の概略構成を示すブロック図。
【図２】前記実施形態におけるテレビ受像機の印刷処理動作を説明するためのフローチャート。
【図３】前記実施形態における色空間変換部による色空間変換処理の一例を示す図。
【図４】前記実施形態における色空間変換部による色空間変換処理の一例を示す図。
【図５】前記実施形態における色空間変換部による色空間変換処理の一例を示す図。
【図６】前記実施形態におけるスクリーンに投影表示される調整メニュー画面の一例を示す図。
【符号の説明】
【００５２】
１・・・テレビ受像機（画像表示装置）、４５１Ａ・・・ＣＰＵ（画像調整情報取得部、色空間変換情報変更部、処理可否情報取得部、処理状態切替部、表示制御装置）、４５１Ｂ・・・ＥＥＰＲＯＭ（変換情報記憶部）、４５２Ｂ・・・情報判別部、４５２Ｆ・・・第２フレームメモリ（画像情報記憶部）、４５２Ｇ・・・色空間変換部、ＣＳ１・・・印刷色空間、ＣＳ２，ＣＳ３Ａ，ＣＳ３Ｂ，ＣＳ３Ｃ・・・色空間。
【図１】
2006157419.tif 000003
【図２】
2006157419.tif 000004
【図３】
2006157419.tif 000005
【図４】
2006157419.tif 000006
【図５】
2006157419.tif 000007
【図６】
2006157419.tif 000008